(57)【要約】【課題】燃焼モータ１４が塩害で故障することを防止する。【解決手段】壁を貫通した給排気筒を介して燃焼空気を屋外から吸引する燃焼ファン６と、該燃焼ファンから供給される燃焼空気で燃焼する燃焼バーナと、この燃焼バーナの燃焼による燃焼ガスと対流ファンから供給される室内空気とを熱交換する熱交換器とを備えた燃焼器具本体で、熱交換後の燃焼ガスを前記給排気筒を介して屋外に排気するものに於いて、燃焼ファン６は略中央に軸穴を備えたファンケース１５と、軸穴に回転軸１３を挿入した後、ファンケース１５に固定する燃焼モータ１４と、回転軸１３の先端に固定される羽根２４と、ファンケース１５との間に羽根２４を収納する空間を備えたファンカバー２７を設け、回転軸１３の周囲で燃焼モータ１４とファンケース１５の間に軸パッキン２１とワッシャー２２を設け、軸パッキン２１とワッシャー２２の内側にグリス２３を注入したものである。【選択図】  図３
2008190338.tif 000002
【特許請求の範囲】
【請求項１】
壁を貫通した給排気筒を介して燃焼空気を屋外から吸引する燃焼ファンと、該燃焼ファンから供給される燃焼空気で燃焼する燃焼バーナと、この燃焼バーナの燃焼による燃焼ガスと対流ファンから供給される室内空気とを熱交換する熱交換器とを備えた燃焼器具本体で、熱交換後の温風を室内に放出して暖房をすると共に、熱交換後の燃焼ガスを前記給排気筒を介して屋外に排気するものに於いて、前記燃焼ファンは略中央に軸穴を備えたファンケースと、前記軸穴に回転軸を挿入した後、前記ファンケースに固定する燃焼モータと、前記回転軸の先端に固定される羽根と、ファンケースとの間に前記羽根を収納する空間を備えたファンカバーを設け、前記回転軸の周囲で燃焼モータとファンケースの間に軸パッキンとワッシャーを設け、前記軸パッキンとワッシャーの内側にグリスを注入した事を特徴とする強制給排気式の燃焼装置。
【発明の詳細な説明】
【技術分野】
【０００１】
この発明は、屋外の空気を燃焼空気として燃焼し、この燃焼で発生した燃焼ガスで室内空気を加熱して暖房すると共に、温度低下した燃焼ガスを屋外に排気する強制給排気式の燃焼装置に関するものである。
【背景技術】
【０００２】
従来よりこの種のものでは、屋外の空気を給排気筒を介して燃焼ファンで吸引し、燃焼バーナに燃焼空気として供給し、燃油を燃料に燃焼させ、この燃焼で発生した燃焼ガスと対流ファンによって送風される室内空気とを熱交換器で熱交換し、温度降下した燃焼ガスは給排気筒を介して屋外に排気し、この熱交換で温度上昇した室内空気で室内を温風暖房するもので、室内の空気を汚すことなく、快適な暖房が行えるものであった。（例えば、特許文献１参照。）
【特許文献１】特許第３３６４２０３号公報
【発明の開示】
【発明が解決しようとする課題】
【０００３】
ところでこの従来のものでは、屋外より直接給排気筒にて燃焼空気を吸引するので、海沿いの地域で使用された場合には給気経路に備えた燃焼ファンのファンケースから燃焼モータ内部の軸受け部に塩分を帯びた外気が侵入し、この軸受け部が錆びることで燃焼モータの回転に障害が発生することで故障する事があった。
そこで密閉タイプのボールベアリングを使用する等の密閉度の高い高価なモータを使用した場合には製造原価が上昇する問題が有った。
【課題を解決するための手段】
【０００４】
この発明はこの点に着目し上記欠点を解決する為、特にその構成を、壁を貫通した給排気筒を介して燃焼空気を屋外から吸引する燃焼ファンと、該燃焼ファンから供給される燃焼空気で燃焼する燃焼バーナと、この燃焼バーナの燃焼による燃焼ガスと対流ファンから供給される室内空気とを熱交換する熱交換器とを備えた燃焼器具本体で、熱交換後の温風を室内に放出して暖房をすると共に、熱交換後の燃焼ガスを前記給排気筒を介して屋外に排気するものに於いて、前記燃焼ファンは略中央に軸穴を備えたファンケースと、前記軸穴に回転軸を挿入した後、前記ファンケースに固定する燃焼モータと、前記回転軸の先端に固定される羽根と、ファンケースとの間に前記羽根を収納する空間を備えたファンカバーを設け、前記回転軸の周囲で燃焼モータとファンケースの間に軸パッキンとワッシャーを設け、前記軸パッキンとワッシャーの内側にグリスを注入したものである。
【発明の効果】
【０００５】
この発明によれば、安価な軸パッキンとワッシャーとグリスを追加するだけで簡単に燃焼モータの気密性を向上させ、塩害による燃焼モータの故障を防止することができるものである。
【発明を実施するための最良の形態】
【０００６】
次にこの発明の一実施形態について図面に基づいて説明する。
１は燃焼筒２下部に備えられた燃焼バーナで、壁３を貫通した二重管式の給排気筒４と給気管５を介して連通している。この給気管５は燃焼ファン６に接続され、燃焼ファン６と前記燃焼バーナ１が接続され、燃焼ファン６の作動で、屋外の空気を燃焼空気として燃焼バーナ１へ供給し、電磁ポンプ７から供給される燃油を燃料に燃焼するものである。
【０００７】
８は燃焼筒２に連通した熱交換器で、前記燃焼バーナ１の燃焼で発生した燃焼ガスと対流ファン９により送風される室内空気とを熱交換するものであり、この熱交換で高温となった室内空気は燃焼器具本体１０の正面に形成された吹き出し口１１から、クリーンな温風として吹き出して室内を温風暖房するものであり、更に熱交換で温度降下した燃焼ガスは、排気管１２を通り給排気筒４から屋外に排気されるものである。
【０００８】
図２〜３は前記燃焼ファン６のモータ回転軸１３よりも上側を断面にした概略断面図で、１４は安価な隈取線輪型単相誘導電動機（通称、隈取りモータ）の燃焼モータで、制御基板（図示せず）に電源を接続し、前記制御基板からの位相制御によって必要に応じて複数の所定回転数で回転するものである。
１５は略中央に前記モータ回転軸１３が挿入される軸穴１６と、燃焼モータ１４側へ筒状に突出し、燃焼バーナ１への送風パイプ１７が接続される吹出口１８を備えたファンケースで、モータ回転軸１３の周囲に備えた取付穴１９にネジ２０にて燃焼モータ１４を取付け固定するものであり、前記取付穴１９とネジ２０は３対設けられファンケース１５に燃焼モータ１４をしっかりと取り付けるものである。また、前記燃焼モータ１４とファンケース１５の間のモータ回転軸１３周囲には、円筒状の軸パッキン２１とワッシャー２２を設け、前記軸パッキン２１とワッシャー２２の内側にグリス２３を注入している。これにより、簡単に給気経路からモータ回転軸１３の隙間を通って燃焼モータ１４への給気漏れを防止することで、塩害による燃焼モータの故障を防止することができるものである。
【０００９】
前記軸パッキン２１はクロロプレンゴムで形成され、ワッシャー２２はフッ素樹脂製のパッキンで形成されており、また、前記グリス２１は酸化安定性、熱安定性、低温流動性に優れた合成油と、耐水性に優れたリチウム石けんで構成され、−４０℃〜＋１４０℃の広い温度範囲で使用でき、塩水に対する性能が特に優れたものを使用するものである。
【００１０】
２４は前記回転軸１３の先端に固定されるアルミニウム製の羽根で、中央に設けたボス部２５の取付穴２６に回転軸１３の先端を挿入後、回転軸１３と垂直方向にネジ止めされるものである。
２７はファンカバーで、前記ファンケース１５との間に備えた空間２８内に前記羽根２４を収納し、中央には前記給気管５を接続するために、円筒状に形成された吸気口２９が設けられ、外周に形成されたツバ状部３０にはファンケース１５にネジ３１にてネジ止めするためのネジ穴３２を備え、ファンケース１５とファンカバー２７の間に空気の漏れを防ぐためにゴム製のファンケースパッキン３３を備えるものである。
【００１１】
また、前記ワッシャー２２の内径をモータ回転軸１３の径と略同径とし、前記軸パッキン２１の内径を回転軸１３の径よりも稍大きな径とすることにより、グリス２３がワッシャー２２および軸パッキン２１の隙間に充分塗布され、燃焼モータ１４の密閉性が更に高まるものであり、とても安価に塩害による燃焼モータ１４の故障を防止することができるものである。
【００１２】
次に燃焼ファン６の組み立て手順について説明すれば、燃焼モータ１４の回転軸１３にワッシャー２２、軸パッキン２１の順に挿入後、ワッシャー２２および軸パッキン２１と回転軸１３の隙間に約５グラムのグリス２３を塗布し、ファンケース１５の軸穴１６に回転軸１３を挿入し、ファンケース１５側から３カ所をネジ２０にて燃焼モータ１４へ固定すれば、ファンケース１５が軸パッキン２１とワッシャー２２と適宜に押圧すると共に、グリス２３がワッシャー２２とモータ回転軸１３の間の隙間を密閉するものである。
【００１３】
次に、モータ回転軸１３の先端に羽根２４をネジ止めした後、ファンカバー２５のツバ状部３０をファンケースパッキン３３を介してネジ３１にてネジ止めすれば燃焼ファン６の組み立てが完了し、軸パッキン２１とワッシャー２２の内側にグリス２３を注入することにより、簡単に給気経路からモータ回転軸１３の隙間を通って燃焼モータ１４への給気漏れを防止することで、塩害による燃焼モータ１４の故障を防止することができるものである。
【００１４】
次にこの発明一実施形態の作動について説明すれば、今運転が指示されれば、燃焼バーナ１には電磁ポンプ７から燃油が供給され、又燃焼ファン６の駆動により給排気筒４を介して屋外の空気が燃焼空気として供給されて、適宜の点火手段（図示せず）で点火すれば燃焼バーナ１は燃焼を開始する。
【００１５】
更にこの燃焼バーナ１の燃焼で発生した燃焼ガスは、燃焼筒２を通り熱交換器８で、対流ファン９により送風される室内空気と熱交換され、温度上昇した室内空気は吹き出し口１１から温風として放出されて室内の暖房を行うものであり、又この熱交換で温度降下された燃焼ガスは、排気管１２及び給排気筒４を通り屋外に排気されるものであり、順次これを繰り返して室内が暖房されるものである。
【図面の簡単な説明】
【００１６】
【図１】この発明の一実施形態を示す燃焼装置の概略説明図。
【図２】同要部の概略断面図。
【図３】同要部の展開断面図。
【符号の説明】
【００１７】
１  燃焼バーナ
３  壁
４  給排気筒
５  給気管
６  燃焼ファン
８  熱交換器
１０  燃焼器具本体
１２  排気管
１３  モータ回転軸
１４  燃焼モータ
１５  ファンケース
２１  軸パッキン
２２  ワッシャー
２３  グリス
２４  羽根
【図１】
2008190338.tif 000003
【図２】
2008190338.tif 000004
【図３】
2008190338.tif 000005